(57)【特許請求の範囲】
【請求項１】
カラオケ装置と、評価検出回路と、音楽検出回路と、マイクロプロセッサと、音声合成装置とを備える、カラオケの歌声に対する賞賛信号を発生する装置であって、
前記カラオケ装置は、マイクから入力されるユーザの歌声から、音量及び周波数を検出し、
前記評価検出回路は、前記カラオケ装置が検出した前記音量に比例した第１の信号と、前記カラオケ装置が検出した前記周波数に比例した第２の信号を生成すると共に、前記第１の信号又は前記第２の信号が所定値以上である場合に、評価信号を出力し、
前記音楽検出回路は、閾値に基づいて、入力される音楽が出力中か否かを判断し、
前記マイクロプロセッサは、前記音楽検出回路が音楽出力中であると判断する期間において、前記評価検出回路が前記評価信号を出力している間、得点をカウントするとともに、前記音楽検出回路が音楽の終了を判断したとき、当該カウントした得点に対応する前記賞賛信号を前記音声合成装置に発生させる、カラオケの歌声に対する賞賛信号を発生する装置。
【請求項２】
前記音声合成装置の発生する前記賞賛信号は、前記カウントした得点に対応する強さと、長さと、タイプとを有する、請求項１に記載のカラオケの歌声に対する賞賛信号を発生する装置。
【請求項３】
前記音楽検出回路は、音楽の開始を検出するための約１５ミリ秒の小さい時定数と、音楽の終了を検出するための約５秒の大きい時定数を有する、請求項１に記載のカラオケの音声に対する賞賛信号を発生する装置。
【発明の詳細な説明】
【０００１】
【産業上の利用分野】
本発明は、ユーザにより発せられ再生又は録音用の音楽信号に付加されたカラオケの歌声に対する称賛を発生する装置に係る。
【０００２】
【従来の技術】
カラオケを利用する際に、ユーザは録音装置又はその他の音源から得られた音楽に合わせマイクを使って歌声を発する。上記歌声及び上記音楽信号は、スピーカを介する再生、或いは、録音のために組み合わされる。拍手、「アンコール」等の如くの称賛が事前に録音された音声合成装置から得られる称賛信号は、音楽とユーザの歌声が終了した際に付け加えられてもよい。一般的に、ユーザは、音楽と歌声の再生の終了後に人手で称賛の演出を始める必要がある。従来の方法は、歌声の振幅に依存的な検出器の出力を有する高価な集積回路で実現されている。従来装置において、称賛は、人手で或いは固定的に始められる。
【０００３】
【発明が解決しようとする課題】
本発明の目的は、簡単な歌声評価装置に基づいて、拍手、「ブラボー(bravo) 」、「アンコール」等の称賛が事前に録音されている音声合成装置の自動的な作動を容易化することである。
【０００４】
【課題を解決するための手段】
本発明によれば、評価手段は、ユーザの歌声の音量、ピッチ及び持続時間の如くのパラメータを測定し、上記評価の測定結果に自動的に依存する称賛を開始するために設けられている。
本発明の装置において、発せられる称賛は、評価の測定結果から導かれる強さと、長さと、タイプとを有する。称賛はユーザの歌の終了時に自動的に開始されることが好ましい。閾値を有し音楽の開始と終了を示す出力電圧を提供する音楽検出回路が設けられ、上記出力電圧は上記称賛を開始するために使用される。上記回路は、音楽の開始を検出するための約１５ミリ秒の小さい時定数と、音楽の終了を検出するための約５秒の大きい時定数とを有することが好ましい。上記音楽検出回路はある状態から他の状態への出力の急速な変化を与えるダーリントン回路を出力に含んでもよい。上記歌声の信号の大きさに比例する第１の入力と、周波数に比例する第２の入力を有する評価回路が設けられる。
【０００５】
【実施例】
本発明の理解を深めるため、以下に添付図面を参照して本発明を詳細に説明する。図１において、ユーザの歌声を取込む２台のマイクは、出力が加算段４に接続されたカラオケ装置３に接続されている。録音装置或いは他の音源からの音楽信号は、加算段４及び音楽検出回路５の入力に供給される。上記回路５の出力ｆはマイクロプロセッサ６の入力に接続される。カラオケ装置３の二つの出力ａ，ｂは、出力がマイクロプロセッサ６の別の入力に接続された評価検出器７の二つの入力に接続される。出力ａ，ｂにおいて、カラオケ装置３は、歌声信号の音量に比例する第１の信号と、歌声信号の周波数に比例する第２の信号とを供給する。マイクロプロセッサ６の出力ｃは音声合成装置８の入力に接続される。合成装置８は加算段４の別の入力に供給される称賛信号を発生する。加算段４の出力ｅに装置３からの歌声と共に音楽信号が現われ、音楽と歌声の終了後に合成装置８から称賛信号が現われる。
【０００６】
音楽検出器５はトランジスタＴＵ１１６、ＴＵ１１７及びＴＵ１１８により実現される。ＴＵ１１６は音楽オーディオ信号を６ｄＢ増幅するよう機能する。出力はダイオードＤＵ００１によって整流される。直流電流がトランジスタＴＵ１１７及びＴＵ１１８により構成されるダーリントン形比較器の閾値を上回る場合に、上記出力は低下する。上記ダーリントンによりある状態から小さいベース電流を伴う別の状態に移ることが保証される。出力ｆのハイからローへの変化は音楽の開始を表わし、ローからハイへの変化は音楽の終了を表わす。短い方の時定数は音楽の開始を素早く検出し得るために約１５ミリ秒しかないが、長い方の取込み時間は断続的な音楽の徐々の弱まりを誤認することを回避するため約５秒である。
【０００７】
評価検出回路は、トランジスタＴＵ１０８、ＴＵ１１０及びＴＵ１１１とにより構成され、音楽検出回路５に類似している。
【０００８】
図３は電圧Ｖｉｎによって表わされる歌声の振幅に依存する作動状態の時間を示す。取込み時間は短縮され約２００ミリ秒であるので、評価検出器は歌声の変化に一層素早く応答し得る。
図４及び５は、装置の動作と、例示的な自動称賛アルゴリズムを示すフローチャートである。
【０００９】
自動称賛の面に対するアルゴリズムの流れはフローチャートによって示されこれ以上の説明を要しないが、その標示と記憶の意味を以下に簡単に説明する。
「割り込み」は、従来の１ミリ秒の割り込みに基づき、自動称賛ルーチンは１秒毎に処理され、これによりソフトウェアの負荷と得点カウンタのオーバーフローは最小限に抑えられる。これは第１のカウンタＡにより行われる。音楽状態の標示は能動的ローである。歌の終了はローからハイに変化することにより検出される。しかし、得点カウントは音楽状態が能動的ローである際に作動させることが可能である。これにより、歌のどの部分でも得点カウントを開始することが容易になるので、歌の先頭ではなく歌の冒頭部へテープを高速に早送り又は巻戻す際に都合がよい。
【００１０】
その上、音楽カウントは低い音楽の弱まりに起因して音楽状態の検出器により生ずる誤ったトリガー等を最小限に抑える。得点カウントは、評価検出器が走査し、能動的ローであることが検出される毎に増加させられる。得点カウントが所定の閾値を上回るときに賞賛フラグがセットされる。得点カウントが１０ずつ増加する毎に、賞賛カウントは増加する。従って、上記賞賛カウントは、称賛の持続時間の延長、又は、「賞賛度の一層高い」音声合成装置の別のセクションの作動に使用することができる。
【００１１】
【発明の効果】
本発明によれば、歌声検出器は、歌声の振幅、ピッチ及び持続時間に比例する可変デューティーサイクルを有する低価格のトランジスタ検出器を用いて実現される。歌の終わりに歌声の評価に応じて様々な強さと、長さと、タイプとを有する自動的な称賛を実現することができる。新規の概念は、カラオケの応用の新規な魅力的な特徴を優れた費用効果で実現することである。本発明は、市場では未だ手に入れることができないが、カラオケの応用として人気が高まると想定される新規の特徴を提供する。
【図面の簡単な説明】
【図１】本発明による装置を一部分はブロックの形で他の部分は詳細な形で示す回路図である。
【図２】歌声の周波数に対する作動状態の時間の依存を示すグラフである。
【図３】歌声の振幅に対する作動状態の時間の依存を示すグラフである。
【図４】本発明による装置の動作を示すフローチャートである。
【図５】本発明による装置の動作を示す図４に続くフローチャートである。
【符号の説明】
１，２    マイク
３    カラオケ装置
４    加算段
５    音楽検出回路
６    マイクロプロセッサ
７    評価検出器
８    音声合成装置
【図１】
0003693126.tif 000002
【図２】
0003693126.tif 000003
【図３】
0003693126.tif 000004
【図４】
0003693126.tif 000005
【図５】
0003693126.tif 000006